(57)【特許請求の範囲】
【請求項１】
複合映像信号から輝度信号と搬送色信号を分離して出力する色信号分離手段と、
基準副搬送波に基づき、前記搬送色信号を復調して色差信号を出力する色復調手段と、
前記複合映像信号から、垂直ブランク期間を検出する垂直ブランク期間検出手段と、
前記垂直ブランク期間中における前記色差信号の色位相が、分割された複数の色位相範囲内のどの色位相範囲に存在するのかを検出し、且つ前記検出された色位相の存在する前記色位相範囲が隣接する同一方向の前記色位相範囲に連続して所定回数遷移したことを検出した場合、カラーキラー信号を出力する色ノイズ検出手段と、
を有することを特徴とするカラーキラー回路。
【請求項２】
請求項１記載のカラーキラー回路において、
前記色ノイズ検出手段には、前記検出された色位相の彩度が所定レベル以下か否かを判定し、この判定結果が所定レベル以下のときには検出動作を中止させる色レベル判定手段を設けたことを特徴とするカラーキラー回路。
【請求項３】
請求項１又は２記載のカラーキラー回路と、
前記搬送色信号に含まれるバースト信号の振幅を検出し、この検出値が基準値以下になったときには色出力を０にするための第１カラーキラー信号を出力するカラーバースト振幅検出手段と、
前記色差信号の誤差を検出し、この検出値が所定値を超えるときには前記色出力を０にするための第２カラーキラー信号を出力するカラーバースト復調誤差検出手段と、
前記カラーキラー信号、前記第１カラーキラー信号、及び前記第２カラーキラー信号のいずれか１つの信号を外部へ出力する出力手段と、
を有することを特徴とするカラーキラー回路。
【請求項４】
前記出力手段は、前記カラーキラー信号、前記第１カラーキラー信号、及び前記第２カラーキラー信号の論理和を求める論理和回路で構成されていることを特徴とする請求項３記載のカラーキラー回路。
【請求項５】
請求項３又は４記載のカラーキラー回路には、更に、
前記色復調手段に与える前記基準副搬送波を発生し、且つ、前記カラーバースト復調誤差検出手段で前記誤差が検出されると、前記誤差を打ち消すように前記発生した前記基準副搬送波を補正して補正後の前記基準副搬送波を前記色復調手段に与える基準副搬送波発生手段、
を有することを特徴とするカラーキラー回路。
【発明の詳細な説明】
【技術分野】
【０００１】
本発明は、ディジタルビデオデコーダ等のディジタル映像処理回路等におけるカラーキラー回路、特に、他の信号の干渉等により、本来の色でない虹色の映像を検出し、色を出さなくする（カラーキラー）ためのカラーキラー回路に関するものである。
【背景技術】
【０００２】
例えば、ディジタルビデオデコーダは、映像信号をデコード処理する装置である。
カラーテレビ信号の場合は、３種類の映像信号（赤（Ｒ）、緑（Ｇ）、青（Ｂ））がある。色には、赤、緑、青というような色相と、色の濃さ、あるいは色の鮮やかさ（彩度）を表す飽和度と、色の明るさを表す輝度とがあり、色相と飽和度を合わせて色度と呼ばれる。色を表す色信号は、色合いを表す色差信号（これは色度に対応する信号）と、明るさを表す輝度信号Ｙとに分類できる。
【０００３】
図６は、色位相による色のベクトル図である。
色相と飽和度を合わせた色度を円板上の平面で表すと、図６のようになる。円板の中心点（白）を原点として、この原点を通る横軸はＵ軸（＝Ｂ−Ｙ）（但し、Ｂ；青、Ｙ；輝度）、縦軸はＶ軸（＝Ｒ−Ｙ）（但し、Ｒ；赤）である。ある色に対する円周方向で色相を表し、原点からある色（例えば、赤）に対する放射線（ベクトル）の長さで飽和度（色の濃さ）を表す。又、図６を底面にして紙面の下方向に尖った円錐体を考えると、原点（白）から下方向の尖端までの距離が輝度を表し、白の輝度を下げてゆくと灰色になり、輝度が０（尖端）になると黒になる。
【０００４】
図７は、ディジタル映像処理回路における複合映像信号の垂直同期パルス付近を示す概略の波形図である。
【０００５】
ディジタルビデオデコーダ等のディジタル映像処理回路において、映像信号、同期信号、搬送色信号、及びカラーバースト信号を含めた複合映像信号は、カラーテレビ信号と呼ばれ、通常、図７の波形のように決められている。
【０００６】
複合映像信号では、映像が含まれた各走査期間Ｈ１０の間に、映像の無い垂直ブランク期間Ｈ２０が設けられ、この垂直ブランク期間Ｈ２０の先頭部分に垂直同期期間Ｈ２１が設けられている。各走査期間Ｈ１０では、先頭部分に水平同期信号Ｓ１０、カラーバースト信号Ｓ１１が設けられ、この後に水平有効期間Ｈ１２が設けられている。水平有効期間Ｈ１２内には、多数の有効映像部分の色情報Ｓ１２が設けられる。各色情報Ｓ１２は、輝度信号の上に搬送色信号が重畳された信号である。
【０００７】
図８は、搬送色信号から色差信号を取り出すための色復調の原理を示す図である。
色復調の原理は、図７の複合映像信号中のカラーバースト信号Ｓ１１から基準副搬送波（基準副搬送波SIN波Ｓ２ａ及び基準副搬送波COS波Ｓ２ｂ）を発生し、搬送色信号Ｓ１を復調する。即ち、搬送色信号Ｓ１に基準副搬送波SIN波Ｓ２ａを乗算（＝Ｓ１×Ｓ２ａ）すると共に、搬送色信号Ｓ１に基準副搬送波COS波Ｓ２ｂを乗算（＝Ｓ１×Ｓ２ｂ）し、その乗算結果Ｓ１×Ｓ２ａからローパスフィルタにより高周波成分の除去処理を行ってＵ信号Ｓ４ａを生成し、更に、その乗算結果Ｓ１×Ｓ２ｂからローパスフィルタにより高周波成分の除去処理を行ってＶ信号Ｓ４ｂを生成すれば、Ｕ信号Ｓ４ａ及びＶ信号Ｓ４ｂからなる色差信号Ｓ４が復調できる。
【０００８】
ディジタル映像処理においては、走査期間Ｈ１０中に色ノイズ（色雑音）が混入して画面に色ノイズが現れるのを防ぐために、カラーキラー回路が設けられる。カラーキラー回路では、微弱電流の受信時やバースト信号振幅が、ある一定値（通常−３０〜−４０dＢ）以下になったことを検出し、色出力を０にするためのカラーキラー信号を出力して、画面に色ノイズが現れるのを防止する。
【０００９】
従来、この種のカラーキラー回路としては、例えば、次のような文献に記載されるのもがあった。
【００１０】
【特許文献１】特公平６−８１３１６号公報
【特許文献２】特開２０００−２７０３４１号公報
【特許文献３】特開２０００−２７０３４２号公報
【００１１】
特許文献１には、周波数の異なる２種類の基準色副搬送波を切り換え発生可能な発振器及びカラーキラー回路等を有し、異種方式カラー放送信号を受信可能なカラーテレビジョン受像機において、弱電界時や垂直ブランク期間にカラーキラー回路が誤判別動作して画面上での色消え現象を起こすことを防止する技術が記載されている。
【００１２】
特許文献２、３には、走査期間におけるバースト信号区間にノイズが重畳されたテレビ信号でも、バースト信号振幅を検出してキラー動作ができるカラーキラー回路の技術が記載されている。
【００１３】
図９は、特許文献２、３等に記載された従来のカラーキラー回路を示す概略の構成図である。
【００１４】
このカラーキラー回路では、カラーバースト信号Ｓ１１の振幅と、生成した基準副搬送波Ｓ２より搬送色信号Ｓ１を復調した色差信号Ｓ４の誤差とから、色を消すためのカラーキラー信号を出力している。
【００１５】
即ち、輝度信号Ｙの上に搬送色信号Ｃが重畳された複合映像信号INが色信号分離回路１に入力されると、この色信号分離回路１では、複合映像信号INから輝度信号Ｙと搬送色信号Ｃを分離し（Ｙ／Ｃ分離）、この分離した搬送色信号Ｓ１をカラーバースト振幅検出回路３及び色復調回路４へ出力する。カラーバースト振幅検出回路３では、搬送色信号Ｓ１中のカラーバースト信号Ｓ１１の振幅を測定し、基準値以下であれば、色を消すためのカラーキラー信号Ｓ３を論理和ゲート（以下「ＯＲゲート」という。）６へ出力する。色復調回路４は、基準副搬送波発生回路２から発生された基準副搬送波Ｓ２（基準副搬送波SIN波Ｓ２ａ、基準副搬送波COS波Ｓ２ｂ）に基づき、図８に示すように、搬送色信号Ｓ１を復調し、Ｕ信号Ｓ４ａ及びＶ信号Ｓ４ｂからなる色差信号Ｓ４を生成して、カラーバースト復調誤差検出回路５へ出力する。
【００１６】
カラーバースト復調誤差検出回路５は、カラーバースト期間のＵ信号Ｓ４ａ及びＶ信号Ｓ４ｂの誤差Ｓ５ａを検出すると、これを基準副搬送波発生回路２へフィードバックし、基準副搬送波Ｓ２の誤差を調整させる。この調整後、カラーバースト復調誤差検出回路５において、カラーバースト期間のＵ信号Ｓ４ａ及びＶ信号Ｓ４ｂの誤差を検出すると、この誤差をカラーキラー信号Ｓ５ｂとしてＯＲゲート６へ出力する。これにより、ＯＲゲート６から、カラーキラー信号Ｓ３又はＳ５ｂを後段の処理回路へ出力して色消去処理を行わせる。
【発明の開示】
【発明が解決しようとする課題】
【００１７】
しかしながら、従来のカラーキラー回路では、カラーバースト振幅（Ｓ３）と、生成した基準副搬送波Ｓ２より復調したＵ信号Ｓ４ａ及びＶ信号Ｓ４ｂの誤差（Ｓ５ｂ）とが正常でも、垂直ブランク期間Ｈ２０において、他の信号の干渉等により、映像部分に別の副搬送波（基準副搬送波Ｓ２と同期していない）のノイズが混入し、色がゆっくりと変化した場合、虹色の映像となってしまうことがあり、このような色ノイズを除去できないという課題があった。
【００１８】
本発明は、このような課題を解決し、ノイズ状態によって虹色の映像になってしまう場合に、色を無くすことができるカラーキラー回路を提供するものである。
【課題を解決するための手段】
【００１９】
請求項１、３〜５に係る発明のカラーキラー回路では、複合映像信号から輝度信号と搬送色信号を分離して出力する色信号分離手段と、基準副搬送波に基づき、前記搬送色信号を復調して色差信号を出力する色復調手段と、前記複合映像信号から、垂直ブランク期間を検出する垂直ブランク期間検出手段と、色ノイズ検出手段とを有している。
【００２０】
前記色ノイズ検出手段は、前記垂直ブランク期間中における前記色差信号の色位相が、分割された複数の色位相範囲内のどの色位相範囲に存在するのかを検出し、且つ前記検出された色位相の存在する前記色位相範囲が隣接する同一方向の前記色位相範囲に連続して所定回数遷移したことを検出した場合、カラーキラー信号を出力するものである。
【００２１】
請求項２〜５に係る発明のカラーキラー回路では、前記発明の色ノイズ検出手段に、色レベル判定手段を追加している。前記色レベル判定手段は、前記検出された色位相の彩度が所定レベル以下か否かを判定し、この判定結果が所定レベル以下のときには検出動作を中止させる機能を有している。
【発明の効果】
【００２２】
請求項１、３〜５に係る発明によれば、垂直ブランク期間を検出する垂直ブランク期間検出手段と、検出された垂直ブランク期間における色復調後の色差信号を検出する色ノイズ検出手段を設けたので、カラーバースト振幅と、基準副搬送波から復調したＵ信号及びＶ信号の誤差とが、正常と判断された場合でも、虹色の映像にならずに、色を消す（カラーキラー）という効果が得られる。
【００２３】
請求項２〜５に係る発明によれば、垂直ブランク期間における色復調後の色位相の彩度（色の濃さ）が所定レベル以下か否かを判定する色レベル判定手段を色ノイズ検出手段に追加したので、薄い虹色は色を消さず、これによって無駄なカラーキラー動作を抑制でき、その上、濃い虹色のみ、色を消す（カラーキラー）という効果が得られる。
【発明を実施するための最良の形態】
【００２４】
カラーキラー回路は、複合映像信号から輝度信号と搬送色信号を分離して出力する色信号分離回路と、生成した基準副搬送波に基づき、前記搬送色信号を復調して色差信号を出力する色復調回路と、前記複合映像信号から、垂直ブランク期間を検出する垂直ブランク期間検出回路と、色ノイズ検出回路とを有している。
【００２５】
前記色ノイズ検出回路では、前記垂直ブランク期間検出手段で検出された垂直ブランク期間中における前記色差信号の色位相が、分割された複数の色位相範囲内のどの色位相範囲に存在するのかを検出し、且つ前記検出された色位相の存在する前記色位相範囲が隣接する同一方向の前記色位相範囲に連続して所定回数遷移したことを検出した場合、カラーキラー信号を出力する。
【実施例１】
【００２６】
（実施例１の構成）
図１（Ａ）、（Ｂ）、（Ｃ）は、本発明の実施例１を示すカラーキラー回路の概略の構成図であり、同図（Ａ）はカラーキラー回路の全体の構成図、同図（Ｂ）は垂直ブランク期間検出回路の構成図、及び同図（Ｃ）は色ノイズ検出回路の構成図である。
【００２７】
図１（Ａ）に示すように、本実施例１のカラーキラー回路は、ディジタルビデオデコーダ等のディジタル映像処理回路等に設けられる回路であり、従来の図９のカラーキラー回路と同様の色信号分離手段（例えば、色信号分離回路）２１、基準副搬送波発生手段（例えば、基準副搬送波発生回路）２２、カラーバースト振幅検出手段（例えば、カラーバースト振幅検出回路）２３、色復調手段（例えば、色復調回路）２４、カラーバースト復調誤差検出手段（例えば、カラーバースト復調誤差検出回路）２５、及び出力手段（例えば、ＯＲゲート）２６を有する他に、新たに、垂直ブランク期間検出手段（例えば、垂直ブランク期間検出回路）３０と、色ノイズ検出手段（例えば、色ノイズ検出回路）４０とが追加されている。
【００２８】
色信号分離回路２１は、輝度信号Ｙの上に搬送色信号Ｃが重畳された複合映像信号INを入力し、輝度信号Ｙと搬送色信号Ｃを分離（Ｙ／Ｃ分離）してこの分離された搬送色信号Ｓ２１を出力する回路である。基準副搬送波発生回路２２は、基準副搬送波SIN波Ｓ２２ａ、及び基準副搬送波COS波Ｓ２２ｂからなる基準副搬送波Ｓ２２を発生すると共に、入力された複合映像信号INに同期させるために、この入力との誤差Ｓ２５aをフィードバックする回路である。色信号分離回路２１の出力側には、カラーバースト振幅検出回路２３が接続されると共に、色信号分離回路２１及び基準副搬送波発生回路２２の出力側に、色復調回路２４が接続されている。
【００２９】
カラーバースト振幅検出回路２３は、搬送色信号Ｓ２１中のカラーバースト信号（図７のＳ１１）の振幅を測定し、基準値以下であれば、色を消すための第１カラーキラー信号Ｓ２３を出力する回路であり、この出力側に、ＯＲゲート２６が接続されている。色復調回路２４は、基準副搬送波発生回路２２から発生された基準副搬送波SIN波Ｓ２２ａ及び基準副搬送波COS波Ｓ２２ｂからなる基準副搬送波Ｓ２２に基づき、搬送色信号Ｓ２１を復調し、Ｕ信号Ｓ２４ａ及びＶ信号Ｓ２４ｂからなる色差信号Ｓ２４を出力する回路であり、この出力側に、カラーバースト復調誤差検出回路２５及び色ノイズ検出回路４０が接続されている。
【００３０】
カラーバースト復調誤差検出回路２５は、カラーバースト信号（図７のＳ１１）のＵ信号Ｓ２４ａ及びＶ信号Ｓ２４ｂの誤差Ｓ２５ａを検出し、この誤差Ｓ２５ａを基準副搬送波発生回路２２へフィードバックして基準副搬送波Ｓ２２の誤差を調整させると共に、その誤差Ｓ２５ａを第２カラーキラー信号Ｓ２５ｂとしてＯＲゲート２６へ出力する回路である。カラーバースト信号Ｓ１１は、図８の波形と同様に、Ｕ信号Ｓ２４ａの成分のみ現れ、Ｖ信号Ｓ２４ｂの成分は現れない。
【００３１】
本実施例１で新たに設けられた垂直ブランク期間検出回路３０は、入力された複合映像信号INから映像が無い期間（図７の垂直ブランク期間Ｈ２０）を検出する回路であり、この出力側に、色ノイズ検出回路４０が接続されている。色ノイズ検出回路４０は、垂直ブランク期間検出回路３０で検出された垂直ブランク期間Ｈ２０中の色ノイズの混入を検出し、カラーキラー信号Ｓ４３を出力する回路であり、この出力側に、ＯＲゲート２６が接続されている。ＯＲゲート２６は、カラーバースト振幅検出回路２３、カラーバースト復調誤差検出回路２５、及び色ノイズ検出回路４０からそれぞれ出力されるカラーキラー信号Ｓ２３，Ｓ２５ｂ，Ｓ４３の内のいずれか１つを後段の処理回路へ出力して色消去処理を行わせる回路である。
【００３２】
図１（Ｂ）に示すように、垂直ブランク期間検出回路３０は、同期検出回路３１を有し、この出力側に、カウンタ３２を介して垂直ブランク期間デコード回路３３が接続されている。
【００３３】
同期検出回路３１は、複合映像信号INから垂直同期信号Ｓ３１a及び水平同期信号Ｓ３１bを検出する回路である。カウンタ３２は、検出された垂直同期信号Ｓ３１a及び水平同期信号Ｓ３１bの数をカウント（計数）する回路である。垂直ブランク期間デコード回路３３は、カウンタ３２のカウント値をデコードして垂直ブランク期間Ｈ２０を出力する回路であり、この出力側に、色ノイズ検出回路４０が接続されている。
【００３４】
図１（Ｃ）に示すように、色ノイズ検出回路４０は、色位相分割回路４１を有し、この出力側に、状態遷移回路４２を介して状態保持回路（例えば、状態保持レジスタ）４３が接続されている。
【００３５】
色位相分割回路４１は、色差信号Ｓ２４（Ｕ信号Ｓ２４ａ、Ｖ信号Ｓ２４ｂ）を入力し、垂直ブランク期間Ｈ２０中における色差信号Ｓ２４の色位相が、予め分割された複数（例えば、４分割）の色位相範囲内のどの色位相範囲に存在するのかを検出する回路である。状態遷移回路４２は、色位相分割回路４１で検出された色位相の遷移状態を監視し、その色位相が、分割された色位相範囲を例えば１周した時に、垂直ブランク期間Ｈ２０中に色ノイズが混入していると判定して検出パルスＳ４２を出力する回路であり、ラインの先頭パルスでリセットされる。状態保持レジスタ４３は、垂直ブランク期間Ｈ２０中の検出パルスＳ４２を保持し、カラーキラー信号Ｓ４３を出力する回路であり、垂直ブランク期間Ｈ２０毎に保持内容を更新する。
【００３６】
（実施例１の動作）
図１のカラーキラー回路において、以下、（１）色信号分離回路２１からカラーバースト復調誤差検出回路２５までの動作と、（２）垂直ブランク期間検出回路３０及び色ノイズ検出回路４０の動作とを説明する。
【００３７】
（１）  色信号分離回路２１からカラーバースト復調誤差検出回路２５までの動作
従来と同様に、複合映像信号INが色信号分離回路２１に入力されると、この色信号分離回路２１により、輝度信号Ｙと搬送色信号Ｃが分離（Ｙ／Ｃ分離）され、この分離された搬送色信号Ｓ２１がカラーバースト振幅検出回路２３及び色復調回路２４へ出力される。カラーバースト振幅検出回路２３では、搬送色信号Ｓ２１中のカラーバースト信号Ｓ１１の振幅を測定し、基準値以下であれば、色を消すためのカラーキラー信号Ｓ２３をＯＲゲート２６へ出力する。色復調回路２４は、基準副搬送波発生回路２２から発生された基準副搬送波Ｓ２２（基準副搬送波SIN波Ｓ２２ａ、基準副搬送波COS波Ｓ２２ｂ）に基づき、図８と同様に、搬送色信号Ｓ２１を復調し、色差信号Ｓ２４（Ｕ信号Ｓ２４ａ、Ｖ信号Ｓ２４ｂ）を生成して、カラーバースト復調誤差検出回路２５及び色ノイズ検出回路４０へ出力する。
【００３８】
カラーバースト復調誤差検出回路２５は、Ｕ信号Ｓ２４ａ及びＶ信号Ｓ２４ｂの誤差Ｓ２５ａを検出すると、これを基準副搬送波発生回路２２へフィードバックし、基準副搬送波Ｓ２２の誤差を調整させる。この調整後、カラーバースト復調誤差検出回路２５において、Ｕ信号Ｓ４ａ及びＶ信号Ｓ４ｂの誤差を検出すると、この誤差をカラーキラー信号Ｓ２５ｂとしてＯＲゲート２６へ出力する。これにより、ＯＲゲート２６から、カラーキラー信号Ｓ２３又はＳ２５ｂが後段の処理回路へ出力され、色消去処理が行われる。
【００３９】
（２）  垂直ブランク期間検出回路３０及び色ノイズ検出回路４０の動作
図２は、図１の色位相分割回路４１における色位相の分割例（例えば、４分割）を示す図であり、横軸はＵ軸（Ｂ−Ｙ）、縦軸はＶ軸（Ｒ−Ｙ）である。なお、分割数は、４分割に限定されず、任意の分割数で良い。又、図３は、図１の状態遷移回路４２における色位相状態を示す遷移図である。
【００４０】
複合映像信号ＩＮが垂直ブランク期間検出回路３０に入力されると、この垂直ブランク期間検出回路３０内の同期検出回路３１により、垂直同期信号Ｓ３１ａ及び水平同期信号Ｓ３１ｂが検出され、この数がカウンタ３２でカウントされる。カウンタ３２のカウント値は、垂直ブランク期間デコード回路３３によりデコードされ、垂直ブランク期間Ｈ２０が出力されて色ノイズ検出回路４０へ送られる。
【００４１】
色ノイズ検出回路４０内の色位相分割回路４１では、図２に示すように、予め色位相の範囲が４分割（範囲I,II,III,IＶ)されているので、垂直ブランク期間Ｈ２０の復調後の色差信号Ｓ２４（Ｕ信号Ｓ２４ａ、Ｖ信号Ｓ２４ｂ）を用い、色位相がどの範囲Ｉ,II,III,IＶにあるのかを検出し、検出結果を状態遷移回路４２へ与える。
【００４２】
状態遷移回路４２では、図３に示すように、ラインの先頭パルスＰによるリセット後の色位相検出待ち状態において（ステップＳＴ１）、色位相分割回路４１により、例えば、色復調後の色差信号Ｓ２４が図２の範囲Iにあると検出された場合、次に、範囲Iに隣接する範囲II又はIＶで色差信号Ｓ２４が検出されるのを待つ（ステップＳＴ２）。このステップＳＴ２では、色位相ずれ方向の検出状態にある。範囲IIで検出されれば、範囲III、範囲IＶと順に検出されるのを待つ。又、範囲IＶで検出されれば、範囲III、範囲IIと順に検出されるのを待つ。色位相が1週して範囲Iに戻ってきた時（ステップＳＴ３，ＳＴ４）、別の副搬送波のノイズが混入していると判断し（ステップＳＴ４）、検出パルスＳ４２を状態保持レジスタ４３へ出力し、その後、色位相検出待ち状態へ戻る（ステップＳＴ１）。状態保持レジスタ４３からカラーキラー信号Ｓ４３が出力され、ＯＲゲート２６へ送られ、後段の処理回路で色が消される。
【００４３】
（実施例１の効果）
本実施例１によれば、映像が無い期間（垂直ブランク期間Ｈ２０）を検出する垂直ブランク期間検出回路３０、及び色ノイズ検出回路４０を設けたので、垂直ブランク期間Ｈ２０の色復調後のＵ信号Ｓ２４ａ及びＶ信号Ｓ２４ｂ中のノイズの混入を検出できる。そのため、カラーバースト振幅と、生成した基準副搬送波Ｓ２２から復調したＵ信号Ｓ２４ａ及びＶ信号Ｓ２４ｂの誤差とが、正常と判断された場合でも、虹色の映像にならずに色を消す（カラーキラー）という効果が得られる。
【実施例２】
【００４４】
（実施例２の構成）
図４（Ａ）、（Ｂ）は、本発明の実施例２を示すカラーキラー回路の概略の構成図であり、同図（Ａ）はカラーキラー回路の全体の構成図、及び同図（Ｂ）は色ノイズ検出回路の構成図である。
【００４５】
図４（Ａ）に示すように、本実施例２のカラーキラー回路では、実施例１の色ノイズ検出回路４０に代えて、これとは構成の異なる色ノイズ検出回路４０Ａを有している。本実施例２の色ノイズ検出回路４０Ａは、実施例１の色ノイズ検出回路４０の機能の他に、検出された色位相の彩度（色の濃さ）が、外部から指示された所定の色レベルＣＬ以下か否かを判定し、この判定結果が所定の色レベルＣＬ以下のときには検出動作を中止させる色レベル判定手段の機能を有している。
【００４６】
図４（Ｂ）に示すように、色ノイズ検出回路４０Ａでは、実施例１の色位相分割回路４１に代えて、これとは構成の異なる色位相分割回路４１Ａを有し、この出力側に、実施例１と同様の状態遷移回路４２及び状態保持レジスタ４３が接続されている。色位相分割回路４１Ａは、実施例１の色位相分割回路４１と同様の機能の他に、検出された色位相の彩度が、所定の色レベルＣＬ以下のときには検出結果を中止する機能を有している。その他の構成は、実施例１と同様である。
【００４７】
（実施例２の動作）
図５は、図４の色位相分割回路４１Ａにおける色レベルを含んだ色位相の分割例（例えば、４分割）を示す図であり、横軸はＵ軸（Ｂ−Ｙ）、縦軸はＶ軸（Ｒ−Ｙ）である。なお、分割数は、４分割に限定されず、任意の分割数で良い。
【００４８】
全体の動作は、実施例１とほぼ同様であるが、色ノイズ検出回路４０Ａ内の色位相分割回路４１Ａの動作が、実施例１の色位相分割回路４０の動作と異なっている。本実施例２の色位相分割回路４１Ａでは、図５に示すように、実施例１と同様に、予め色位相の範囲が４分割（範囲I,II,III,IＶ)されているので、映像のない垂直ブランク期間Ｈ２０の復調後の色差信号Ｓ２４（Ｕ信号Ｓ２４ａ、Ｖ信号Ｓ２４ｂ）を用い、色位相がどの範囲I,II,III,IＶにあるのかを検出する。この際、指示された色レベルＣＬ以下の色位相（例えば、原点の白等の無彩色に近い色）は、色位相検出範囲外として、検出結果を状態遷移回路４２へ出力しない。これにより、人間の視覚では判別が困難なレベルの低い色ノイズに対して、無駄なカラーキラー動作を抑制できる。
【００４９】
（実施例２の効果）
実施例２によれば、映像が無い期間（垂直ブランク期間Ｈ２０）の色復調後のＵ信号Ｓ２４ａ及びＶ信号Ｓ２４ｂの色レベルＣＬを含めて色ノイズを検出する色ノイズ検出回路４０Ａを設けたので、薄い虹色は色を消さず、これによって無駄なカラーキラー動作を抑制できる。そして、濃い虹色のみ、カラーバースト振幅と、生成した基準副搬送波Ｓ２２から復調したＵ信号Ｓ２４ａ及びＶ信号Ｓ２４ｂの誤差とが、正常と判断された場合でも、色を消す（カラーキラー）という効果が得られる。
【００５０】
なお、本発明は、実施例１、２に限定されず、種々の変形や利用形態が可能である。この変形や利用形態としては、例えば、次の（１）、（２）のようなものがある。
【００５１】
（１）  垂直ブランク期間検出回路３０、及び色ノイズ検出回路４０，４０Ａを含めたカラーキラー回路は、図示以外の回路構成に変更したり、あるいは、プロセッサ等を用いてソフトウェアで実現しても良い。
【００５２】
（２）  実施例１、２では、色ノイズとなっている別の副搬送波を検出することで色を消しているが、別の副搬送波に位相が同期したノイズ基準副搬送波を内部で発生させれば、有効映像部分の色ノイズを除去するノイズリダクション（ノイズ削除）に適応可能である。
【図面の簡単な説明】
【００５３】
【図１】本発明の実施例１を示すカラーキラー回路の概略の構成図である。
【図２】図１の色位相分割回路４１における色位相の分割例を示す図である。
【図３】図１の状態遷移回路４２における色位相状態を示す遷移図である。
【図４】本発明の実施例２を示すカラーキラー回路の概略の構成図である。
【図５】図４の色位相分割回路４１Ａにおける色レベルを含んだ色位相の分割例を示す図である。
【図６】色位相による色のベクトル図である。
【図７】複合映像信号の垂直同期パルス付近を示す概略の波形図である。
【図８】搬送色信号から色差信号を取り出すための色復調の原理を示す図である。
【図９】従来のカラーキラー回路を示す概略の構成図である。
【符号の説明】
【００５４】
２１      色信号分離回路
２２      基準副搬送波発生回路
２３      カラーバースト復調誤差検出回路
２４      色復調回路
２５      カラーバースト復調誤差検出回路
２６      ＯＲゲート
３０      垂直ブランク期間検出回路
４０，４０Ａ      色ノイズ検出回路
【図１】
0004834411.tif 000002
【図２】
0004834411.tif 000003
【図３】
0004834411.tif 000004
【図４】
0004834411.tif 000005
【図５】
0004834411.tif 000006
【図６】
0004834411.tif 000007
【図７】
0004834411.tif 000008
【図８】
0004834411.tif 000009
【図９】
0004834411.tif 000010